(57)【要約】      （修正有）【課題】軽くて丈夫で通気性が高く、繰り返し使用可能なマスクを提供する。【解決手段】このマスクは、対称形状のシート状部材である半体と半体を接合して形成されている。また、半体と半体の接合が、使用時における顔面の略中心線上に接合部Ｃとなるように構成されている。そして、このマスクは、使用者の顔面下部を覆う本体部Ａと、本体部Ａから両側に延在し、開口Ｄを有する耳掛け部Ｂとを備え、本体部Ａ及び耳掛け部Ｂがシート状部材により構成されている。また、このマスクに用いられるシート状部材は、複数の素材が積層されてなり、ナイロン系素材からなる第一の層と、ウレタン系素材からなる第二の層と、ナイロン系素材からなる第三の層を有する。【選択図】図１
0003229030.tif 000002
【実用新案登録請求の範囲】
【請求項１】
使用者の顔面下部を覆う本体部と、
前記本体部から両側に延在し、開口を有する耳掛け部と、を備え、
前記本体部及び前記耳掛け部は、シート状部材により構成されていて、
前記シート状部材は、複数の素材が積層されてなり、
ナイロン系素材からなる第一の層と、
ウレタン系素材からなる第二の層と、を有する、
マスク。
【請求項２】
前記第一の層を構成するナイロン系素材が、
抗菌性を具備するナイロン系素材である、
請求項１に記載のマスク。
【請求項３】
前記第一の層を構成するナイロン系素材が、
抗菌剤が練りこまれた糸を用いて形成されるナイロン系素材である、
請求項２に記載のマスク。
【請求項４】
前記シート状部材は、
ナイロン系素材からなる第三の層をさらに有する、
請求項１乃至請求項３のいずれか１項に記載のマスク。
【請求項５】
前記第三の層を構成するナイロン系素材が、前記第一の層を構成するナイロン系素材と同一の素材である、
請求項４に記載のマスク。
【請求項６】
前記シート状部材は、
隣接する各層の間に接着剤が介在していない、
請求項１乃至請求項５のいずれか１項に記載のマスク。
【請求項７】
隣接する各層が熱融着によって貼着されている、
請求項６に記載のマスク。
【請求項８】
同一又は対称の形状に形成された２枚の前記シート状部材が、マスクの左右方向の中心線上で接合することにより形成されていて、
一方のシート状素材が、前記本体部の左半分を形成する部分と、左側の耳掛け部を形成する部分とが一体に構成されており、
他方のシート状素材が、前記本体部の右半分を形成する部分と、右側の耳掛け部を形成する部分とが一体に構成されている、
請求項１乃至請求項７のいずれか１項に記載のマスク。
【請求項９】
マスクの左右方向の中心線を対称軸とし、該対称軸に沿って前記一方のシート状部材と前記他方のシート状部材とを重ね合わせることで平坦に折り畳み可能である、
請求項８に記載のマスク。
【請求項１０】
前記一方のシート状部材の形状は、
前記他方のシート状部材と接合される部分の接合縁が、緩やかな凸状の曲線で構成され、
前記接合縁部の上端から続く上端縁部が、凸状曲線から凹状曲線に続き、前記耳掛け部の端部に向けてのび、前記接合端部の下端から続く下端縁部が、上方に傾斜して、前記耳掛け部の端部に向けてのびており、
前記耳掛け部に、頂点が丸みを帯びた略三角形状の開口が設けられていて、
前記開口を形成する略三角形状の二辺及び該二辺から続く丸みを帯びた頂点の外側の領域が５ｍｍ以上２０ｍｍ以下の幅の帯状に形成されている、
請求項８又は請求項９に記載のマスク。
【請求項１１】
請求項１乃至請求項１０のいずれか１項に記載のマスクが、アルミ製のパッケージに密封包装されている、
包装済みマスク。
【請求項１２】
請求項１乃至請求項１０のいずれか１項に記載のマスクが、折りたたまれた状態で包装されており、折りたたまれた内側部分に消臭紙が挟みこまれている、
請求項１１に記載の包装済みマスク。
【考案の詳細な説明】
【技術分野】
【０００１】
本考案は、マスク及びこれが包装された状態の包装済みマスクに関する。
【背景技術】
【０００２】
近年、人類のグローバル化により、ウイルスの感染爆発の危険性が高まり、ウイルス性肺炎、インフルエンザ等の呼吸系感染症が流行し、それによる被害が世界的に広がっている。また、未知のウイルス感染症であると、人類が抗体を持っていないため、急速に感染が伝播し、パンデミック状態に至る可能性もある。このような感染症の予防法として、石けんによる手洗いや手指消毒用アルコールによる消毒に加えて、マスクの着用が推奨されており、マスクの需要が高まっている。
【０００３】
また、不織布製などの使い捨てマスクが一般的である一方、マスクの供給量の問題や、エコロジーの観点から、手洗い等によって複数回使用可能なマスクを要望する声もある。
【考案の概要】
【考案が解決しようとする課題】
【０００４】
本考案の目的は、軽くて丈夫なのに通気性が高い効果を有し、水やお湯のもみ洗いで繰り返し使用可能なマスク及び包装済みマスクを提供することにある。
【課題を解決するための手段】
【０００５】
考案者らは、上記目的を達成するため、検討を重ねた結果、ナイロンとウレタンを組み合わせた素材をマスクに用いることで、軽くて丈夫であり、通気性が高いマスクとなることを見いだした。
【０００６】
本考案の一の態様に係るマスクは、使用者の顔面下部を覆う本体部と、前記本体部から両側に延在し、開口を有する耳掛け部とを備え、前記本体部及び前記耳掛け部は、シート状部材により構成されていて、前記シート状部材は、複数の素材が積層されてなり、ナイロン系素材からなる第一の層と、ウレタン系素材からなる第二の層とを有することを特徴とする。
【０００７】
この構成によれば、また、マスクの一層がウレタン系素材で形成されているため、不織布で形成された従来のマスクと比較して、通気性が高い。したがって、マスクが密着していても、息苦しさを感じにくく、また本来的に上側への呼気の流量は小さくなるため、本体部の上方への呼気の通過は低減されメガネの曇りを抑えることもできる。また、ウレタン系素材で形成されていることから、クッション性、柔軟性に優れており、着用時に耳が痛くなるのを緩和する。
【０００８】
マスクの一層がナイロン系素材で形成されているため、不織布で形成された従来のマスクと比較して、耐久性、速乾性に優れている。そして、ナイロン系素材とウレタン系素材の構成により、従来よりも耐久性及び通気性が向上する。
【０００９】
また、このマスクは、前記第一の層を構成するナイロン系素材が、抗菌性を具備するナイロン系素材であることが望ましく、また、前記第一の層を構成するナイロン系素材は抗菌剤が練りこまれた糸を用いて形成されるナイロン系素材であることがより望ましい。
【００１０】
この構成によれば、抗菌性や防臭性に優れたマスクとできる。また、抗菌剤が練りこまれた糸によるナイロン系素材とすることで、表面に抗菌剤を塗布する場合に比べて、摩擦にも強く抗菌剤の剥がれを抑制でき、これにより抗菌性を持続させることができる。
【００１１】
また、このマスクは、前記シート状部材がナイロン系素材からなる第三の層をさらに有することが望ましい。この構成によれば、ウレタン系素材をナイロン系素材で挟み込むことで、より耐久性に優れたマスクとできる。
【００１２】
また、このマスクは、前記第三の層を構成するナイロン系素材が、前記第一の層を構成するナイロン系素材と同一の素材であることがより望ましい。
【００１３】
この構成によれば、第三の層を構成するナイロン系素材が、抗菌性を有するナイロン系素材であるため、さらに抗菌性や防臭性に優れたマスクとできる。また、抗菌剤が練りこまれた糸によるナイロン系素材とすることで、表面に抗菌剤を塗布する場合に比べて、摩擦にも強く抗菌剤の剥がれを抑制でき、これにより抗菌性を持続させることができる。
【００１４】
また、このマスクは、前記シート状部材が隣接する各層の間に接着剤が介在していないことが望ましい。この構成によれば、各層の間に接着剤が介在しないため、通気性が阻害されづらく、また接着剤を用いた場合の臭いもない。
【００１５】
また、このマスクは、隣接する各層が熱融着によって貼着されている。この構成によれば、接着剤を用いない効果に加えて、各層の間にその他材料も介在しないため、接着剤やその他材料による影響がない。
【００１６】
また、このマスクは、同一又は対称の形状に形成された２枚の前記シート状部材が、マスクの左右方向の中心線上で接合することにより形成されていて、一方のシート状素材が、前記本体部の左半分を形成する部分と、左側の耳掛け部を形成する部分とが一体に構成されており、他方のシート状素材が、前記本体部の右半分を形成する部分と、右側の耳掛け部を形成する部分とが一体に構成されている。
【００１７】
この構成によれば、本体部と耳掛け部が一体となっているため、これらが別体で構成されているマスクに比べて製造効率がよい。また、同一又は対称の形状の２枚のシート状部材で構成することにより、１枚の複雑な形状で製造するよりも歩留まりがよく、また１枚で顔に沿うような立体的な構造のマスクを製造する場合に比べて製造効率がよい。
【００１８】
また、このマスクは、マスクの左右方向の中心線を対称軸とし、該対称軸に沿って前記一方のシート状部材と前記他方のシート状部材とを重ね合わせることで平坦に折り畳み可能である。この構成によれば、不使用時に平坦に折りたたみ可能であるため持ち運びがしやすい。
【００１９】
また、このマスクは、前記一方のシート状部材の形状において、前記他方のシート状部材と接合される部分の接合縁が緩やかな凸状の曲線で構成され、前記接合縁部の上端から続く上端縁部が凸状曲線から凹状曲線に続き、前記耳掛け部の端部に向けてのび、前記接合端部の下端から続く下端縁部が上方に傾斜して、前記耳掛け部の端部に向けてのびており、前記耳掛け部に、頂点が丸みを帯びた略三角形状の開口が設けられていて、前記開口を形成する略三角形状の二辺及び該二辺から続く丸みを帯びた頂点の外側の領域が５ｍｍ以上２０ｍｍ以下の幅の帯状に形成されている。
【００２０】
この構成によれば、接合縁が緩やかな凸状の曲線で構成されているため、２枚のシート状部材を接合した時に、顔面下部を覆うこととなる部分が丸みを帯びて顔面に沿うようになる。また、接合縁部の上端から続く上端縁部が凸状曲線から凹状曲線に続く構成であるため、使用者の鼻を効果的に覆うことができる。また、接合端部の下端から続く下端縁部が上方に傾斜して耳掛け部の端部に向けてのびているので、顔の下方部分に沿った形状となる。
【００２１】
また、耳掛け部の開口は頂点が丸みを帯びた略三角形状であり、その二辺及び該二辺から続く丸みを帯びた頂点の外側の領域が５ｍｍ以上２０ｍｍ以下の幅の帯状に形成されているので、開口に耳を入れてマスクを耳にかけた時に、開口に丸みを帯びていること、帯状部分が細すぎず太すぎないことで耳が痛くない。
【００２２】
また、本発明の一の態様の包装済みマスクは、請求項１乃至請求項１０のいずれか１項に記載のマスクがアルミ製のパッケージに密封包装されていることを特徴とする。この構成によれば、アルミ製のパッケージでマスクを包装することにより、ウレタン系素材の変色を防ぐことができる。
【００２３】
また、この包装済みマスクは、請求項１乃至請求項１０のいずれか１項に記載のマスクが、折りたたまれた状態で包装されており、折りたたまれた内側部分に消臭紙が挟みこまれている。消臭紙をマスクで挟みこむことにより、パッケージ内になんらかの臭いが生じている場合に、その臭いを抑制することができる。
【考案の効果】
【００２４】
本考案のマスクは、ナイロン系素材とウレタン系素材を組み合わせたシート状部材が用いられているので、軽くて耐久性及び通気性に優れる。
【図面の簡単な説明】
【００２５】
【図１】本発明の一実施形態のマスクを展開した状態を示す概略図である。
【図２】本発明の一実施形態のマスクを折り畳んだ状態を示す概略図である。
【図３】図２の矢印II方向から見た概略図である。
【図４】本発明の一実施形態のマスクを着用した状態を示す概略図である。
【図５】本発明の一実施形態のマスクに用いるシート状部材の断面図である。
【考案を実施するための形態】
【００２６】
以下、マスクの一実施形態を図面に基づいて説明する。図１は、本発明の一実施形態のマスクを展開した状態を示す概略図である。図２は、同マスクを折り畳んだ状態を示す図である。図３は、図２のII方向から見た図である。
【００２７】
（マスク構造）
図１に示すように本発明の一実施形態のマスクは、本体部Ａ及び耳掛け部Ｂを備えている。このマスクは全体がナイロンとウレタンを積層した部材（以下、単に「ナイロンウレタン」と称する場合がある。）で一体に形成されている。すなわち、本実施形態のマスクは、本体部Ａと耳掛け部Ｂとの間に継ぎ目が形成されることなく一体となっている。
【００２８】
本実施形態のマスクは、図２及び図３に示すように、シート状の半体１と半体２とを２枚をつなぎ合わせることによって形成されている。図１に示すように、２枚の半体１及び半体２はそれぞれ対称の形状に形成されている。すなわち、半体１はナイロンウレタンで継ぎ目なく一体に形成されており、本体半部１１、耳掛け半部１２に区分される。
【００２９】
同様に、半体２はナイロンウレタンで継ぎ目なく一体に形成されており、本体半部２１、耳掛け半部２２に区分される。なお、以下の説明において、半体１のみを用いて説明し、半体２の説明を省略する場合があるが、半体２も半体１と同様の形状である。
【００３０】
図２に示すように、半体１は、半体２と接合される接合部１３が緩やかな凸状の曲線で構成されており、接合部１３の上端から続く上端縁部が凸状曲線から凹状曲線に続き、耳掛け半部１２の端部に向けてのびている。また、接合部１３の下端から続く下端縁部が、上方に傾斜して、耳掛け半部１２の端部に向けてのびている。
【００３１】
また、半体１の耳掛け半部１２には、頂点が丸みを帯びた略三角形状の開口１４が設けられていて、開口１４を形成する略三角形状の二辺及び該二辺から続く丸みを帯びた頂点の外側の領域が約１０ｍｍの幅の帯状に形成されている。この開口１４が使用者の耳を挿入する部分となり、約１０ｍｍの帯状の部分が耳を掛ける部分となる。
【００３２】
そして、２枚の半体１と半体２とは、本体半部１１，２１の耳掛け半部１２，２２とは反対の端部側に位置する接合部Ｃ（１３，２３）において接合されている。なお、本実施形態においては、接合の一例として縫着により接合しているが、これに限られず接着や融着によって接合してもよい。また、本体部Ａは、マスクの装着時に顔面の外側に突出するように湾曲状に形成されている。２枚の半体１と半体２とを接合する接合部１３，２３は、この湾曲状の本体部の周縁に沿って設けられている。
【００３３】
このマスクは、未使用時において、図２，図３に示すように２枚の半体１と半体２とが折り重ねてシート状に折り畳み可能となっている。一方、マスクを使用するときは、重ねられている耳掛け半部１２と耳掛け半部２２とを互いに引き剥がすように反対側へ引っ張ることにより、顔面に沿って装着可能な形状に展開される（図４参照）。
【００３４】
このように接合された２枚の半体１と半体２とから形成されたマスクを展開することにより、本体部Ａ、耳掛け部Ｂが一体となったマスクとなる。当然、マスクは、装着のために展開していないときは、２枚の半体１と半体２とが接合部Ｃで折り畳まれたシート状とできるので携帯性に優れる（図２，図３参照）。
【００３５】
本体部Ａは、半体１および半体２の湾曲状の周縁に沿って接合することにより、マスクとして展開したとき、接合部Ｃが緩やかに前方へ突出した形状となる。すなわち、半体１の本体半部１１および半体２の本体半部２１を接合して展開することにより、マスクの本体部Ａが形成される。これにより、マスクを顔面に装着したとき、図４に示すように、本体部Ａが顔面の口および鼻の周辺を覆うとともに、本体部Ａと顔面との間には適度な空間が形成される。
【００３６】
また、本体部Ａは、マスクを顔面に装着したとき、接合部Ｃが顔面の上下方向に延びた状態となる（図１参照）。この接合部Ｃは、本体部Ａの中心を顔面の上下方向に延びる仮想的な直線とほぼ一致する。この本体部の中心を上下方向へ延びる仮想的な直線は、マスクの中心となる対称軸Ｌとなる。マスクは、この対称軸Ｌを中心として、左右対称な形状となる。
【００３７】
耳掛け部Ｂは、本体部Ａの両端からそれぞれ耳側へ向けて延びている。すなわち、半体１の耳掛け半部１２および半体２の耳掛け半部２２は、半体１および半体２を接合して展開することにより、マスクの本体部Ａの両端からそれぞれ延びる耳掛け部Ｂを構成する。耳掛け部Ｂは、本体部Ａから遠い端部側に開口部Ｄ（１４，２４）を有している。
【００３８】
開口部Ｄの形状は、本実施形態の一例として、また折り畳み時の美観及び展開時の耳の収まりのよさなどの点から略三角形状としている。開口が小さすぎると耳が窮屈であり、大きすぎるとフィット感が薄れるが、耳に掛けるという意味では、耳の挿入が可能な大きさの孔であればよく、例えば、円形、四角形、楕円形等の形状とすることもできる。
【００３９】
そして、図４に示すように使用者の耳がこの開口に挿入されることにより、耳掛け部Ｂは使用者の耳の後方に引っ掛けられる。これにより、マスクは、使用者の顔面に保持される。マスクを形成するウレタンは、適度な伸縮性、柔軟性および弾性を有している。そのため、マスクを使用者の顔面に装着する場合、マスクは本体部Ａを含む耳掛け部Ｂの伸縮を利用して、耳掛け部Ｂが耳の後方まで引っ張られるとともに、例えばゴム紐などを用いることなく自身の弾性力で顔面に保持されることとなる。
【００４０】
（マスクに用いるシート状部材の構造）
次に、本実施形態のマスクを構成するシート状部材について説明する。図５は、本実施形態におけるシート状部材の断面図である。図５に示すように、このシート状部材は、３つの素材が三層に積層されて形成されていて、マスク使用時に外側に露出する外面を形成する第一の層Ｘと、使用者の顔面側の内面を形成する第三の層Ｚと、これらに挟まれた第二の層Ｙと、を有する。
【００４１】
各層は、本実施形態の一例として、以下の構成となっている。第一の層Ｘは、通気性、速乾性、制菌性及び防臭性に優れたシート状のナイロン系素材である。第二の層Ｙは、空隙を有するシート状のウレタン系素材である。第三の層Ｚは、第一の層Ｘと同一のシート状のナイロン系素材である。なお、第三の層Ｚを第一の層Ｘと異なるシート状のナイロン系素材とすることもできる。
【００４２】
具体的には、本実施形態の第一の層Ｘに用いられるナイロン系素材は、詳しくはナイロン糸１本１本の中に特殊なセラミック系抗菌剤を練り込んだ素材であり、そのナイロン糸を織ることによって作られた織布であり、抗菌性に優れたシートとなっている。そして、この素材により、従来の抗菌剤を表面加工したものに比べ、抗菌剤がはがれにくく耐久性に優れている。
【００４３】
また、抗菌剤による着色や黄ばみもなく、ソフトな風合い、鮮やかな発色性といったナイロンの持つ特性がそのまま維持される。なお、本実施形態の第一の層Ｘに使用されているセラミック系抗菌剤は、経口毒性、パッチテストなど、日本皮膚衛生協会の河合法をはじめとする各種テストの基準をクリアしたものを用いている。このようにすることで、肌触りがよく抗菌性を備えたマスク表面とできる。
【００４４】
また、本実施形態の第二の層Ｙに用いられるウレタン系素材は、軽量で、一定の空隙を有し、伸縮性のあるポリウレタン系素材を使用しており、従来の不織布で形成されたマスクと比較して通気性が高い。したがって、マスクが密着していても、息苦しさを感じにくく、また使用時に上方への呼気の流量が小さくなるため、本体部Ａの上方への呼気の通過は低減されメガネの曇りを抑えることができる。また、ポリウレタンで形成されていることから、クッション性、柔軟性に優れており、着用時に耳が痛くなることも緩和できる。
【００４５】
また、本実施形態の第三の層Ｚに用いられるナイロン系素材は、第一の層Ｘと同一の素材を用いている。このようにすることで、肌触りがよく抗菌性を備えたマスク表面とできる。これにより、表裏両面が、肌触りがよく抗菌性に優れたマスクとできる。
【００４６】
具体的には、マスクの顔面側の面は常時顔に触れているため、肌触りがよいと付け心地がよく、また唾液等が頻繁に付着するため効果的に抗菌性を発揮する。また、マスクの顔面側と反対の外側の面についても、手で触れることが多いため肌触りがよいことが好ましいし、手で触れた場合などに手に菌が付着していた場合や、外部からの飛沫した菌などに効果的に抗菌性を発揮する。
【００４７】
なお、第三の層Ｚを第一の層Ｘとは別の素材を用いる場合、一例として１５ハーフと称されるナイロン系素材を用いるとよい。この素材は、一定の通気性があり耐久性のあるナイロン系素材である。また、ポリウレタンと比べて弾性率が小さく肌触りが柔らかい。この場合、第三の層Ｚは、主として第二の層Ｙのポリウレタン系素材の劣化や変色を抑制して強度・耐久性を高めるためと、また肌触りを快適にするために用いる。
【００４８】
なお、本実施形態における第一の層Ｘと第三の層Ｚのナイロン系素材は、所定の通気性を確保しながら、第二の層Ｙのポリウレタン系素材よりも通気性は抑えられているが、これはウィルス等をキャッチするために、ある程度目が詰まっている必要があるためである。
【００４９】
また、本実施形態における第一の層Ｘと第二の層Ｙと第三の層Ｚは、それぞれ熱融着されていて、各層間に接着剤が介在しない。熱融着を用い、接着剤が介在しないことにより、接着剤特有の臭気や有害物質を防止すると同時に、接着剤による通気性の阻害を防止している。
【００５０】
（変形例）
次に、シート状部材の変形例について説明する。上記のシート状部材では、第一の層Ｘと第三の層Ｚに同一のナイロン系素材を用いているが、第三の層Ｚのナイロン系素材を、第一の層Ｘに用いたものと異なるナイロン系素材を用いることもできる。
【００５１】
また、上記のシート状部材は、三層構造としているが、二層構造とすることも可能である。二層の場合、例えば上記のシート状部材の第三の層Ｚがない構造となる。これにより、三層構造に比べてコストや重量は押さえられる反面、耐久性などの面では劣る。また、三層構造よりも多い４層構造などとすることも可能である。
【００５２】
（包装済みマスク）
続き、上記したマスクの包装について説明する。図示しないが、このマスクを販売等する際は、パッケージに包装して販売等する。このとき、図２に示すようにマスクを折り畳んだ状態とし、折りたたまれた内側部分に消臭紙を挟みこみ、マスク全体をアルミ製のパッケージで包装する。このようにすることで、消臭紙によりパッケージ内になんらかの臭いが生じていた場合に、その臭いを抑制することができ、またアルミ製のパッケージを用いることで、日光やその他の影響によって生じ得るウレタン系素材の変色を防ぐことができる。
【００５３】
以上のとおり、図面を参照しながら本発明の好適な実施形態を説明したが、本発明の趣旨を逸脱しない範囲内で、種々の追加、変更、又は削除が可能である。例えば、マスクの形状や開口の形状等は、上記した実施形態に限られない。また、上記した実施形態では三層構造のシート状部材を用いているが、これに限られず二層構造や三層よりも多層構造とすることも可能である。したがって、そのようなものも本発明の範囲内に含まれる。
【符号の説明】
【００５４】
１  半体
１１  本体半部
１２  耳掛け半部
１３  接合部
１４  開口
２  半体
２１  本体半部
２２  耳掛け半部
２３  接合部
２４  開口
Ａ  本体部
Ｂ  耳掛け部
Ｃ  接合部
Ｄ  開口部
Ｘ  第一の層
Ｙ  第二の層
Ｚ  第三の層
【図１】
0003229030.tif 000003
【図２】
0003229030.tif 000004
【図３】
0003229030.tif 000005
【図４】
0003229030.tif 000006
【図５】
0003229030.tif 000007